【手続補正書】
【提出日】平成16年9月27日(2004.9.27)
【手続補正１】
【補正対象書類名】明細書
【補正対象項目名】特許請求の範囲
【補正方法】変更
【補正の内容】
【特許請求の範囲】
【請求項１】
両端部で便座・便蓋を支持してなる便座・便蓋支持部を有する便座装置において、前記便座・便蓋支持部間を、便座装置本体とは別体のカバーで被覆形成したことを特徴とする便座装置。
【請求項２】
請求項１記載の便座装置において、前方に傾斜部を設け、該傾斜部に連続し且つ中央を隆起させて前記便座・便蓋支持部とし、該便座・便蓋支持部の左右には前記傾斜部に連続し且つ便座、便蓋のヒンジ部の回動空間となる傾斜凹部を形成したことを特徴とする便座装置。
【請求項３】
請求項２記載の便座装置において、前記便座・便蓋支持部の側壁面には便座又は／及び便蓋を回動自在に支持する連結支持部を設けたことを特徴とする便座装置。
【請求項４】
請求項２若しくは請求項３記載の便座装置において、前記便座・便蓋支持部の頂上部には便座又は／及び便蓋の回転中心軸と同心の円弧状で且つ便蓋倒伏位置を始点として便蓋後端が開放位置を終点として描かれる軌跡に略相似形状とした曲面部を備えたことを特徴とする便座装置。
【請求項５】
請求項４記載の便座装置において、前記曲面部は中央の曲率を最も大きく、左右にいくに連れ小さくした樽形状としたことを特徴とする便座装置。
【請求項６】
請求項２〜請求項５のいずれか１項に記載の便座装置において、前記便座・便蓋支持部の内部空間を便座装置内に配設される付随機器の収納空間として利用したことを特徴とする便座装置。
【請求項７】
請求項４〜請求項６のいずれか１項に記載の便座装置において、前記曲面部には運転状態等を示す表示部を備えたことを特徴とする便座装置。
【請求項８】
請求項７記載の便座装置において、前記表示部は、前記便座・便蓋支持部に支持された便座及び便蓋が閉じた状態及び開いた状態のいずれであっても、使用者が目視可能である位置に配置されたことを特徴とする便座装置。
【請求項９】
請求項４〜請求項８のいずれか１項に記載の便座装置において、前記便座・便蓋支持部には人体検出センサを備えたことを特徴とする便座装置。
【請求項１０】
請求項１〜請求項９のいずれか１項に記載の何れかに便座装置において、前記便蓋を閉じた状態で、前記便座・便蓋支持部両側に位置する前記便座の一部分は、前記便蓋により覆われていることを特徴とする便座装置。
【請求項１１】
便座と、便器に固定される装置本体と、を具備してなる便座装置において、前記装置本体表面に膨出部を形成し、この膨出部の側方に枢軸部を設け、この枢軸部に前記便座を取り付けるとともに、前記膨出部の表面側にＬＥＤの発光により運転状態等を示す表示部を設けてなることを特徴とする便座装置。
【請求項１２】
請求項１１記載の便座装置において、便蓋を備えるとともに、前記表示部は、前記便蓋を閉じた状態でも目視可能であることを特徴とする便座装置。
【請求項１３】
請求項１２記載の便座装置において、前記表示部は、前記便座及び便蓋が閉じた状態及び開いた状態のいずれであっても、使用者が目視可能である位置に配置されたことを特徴とする便座装置。
【手続補正２】
【補正対象書類名】明細書
【補正対象項目名】０００９
【補正方法】変更
【補正の内容】
【０００９】
請求項６の発明においては、請求項２〜請求項５のいずれか１項に記載の発明に加え、前記便座・便蓋支持部の内部空間を便座装置内に配設される付随機器の収納空間として利用したので、貴重な収納スペースを確保することができる。
【手続補正３】
【補正対象書類名】明細書
【補正対象項目名】００１０
【補正方法】変更
【補正の内容】
【００１０】
請求項７の発明においては、請求項４〜請求項６のいずれか１項に記載の発明に加え、前記曲面部には運転状態等を示す表示部を備えたので、便座、便蓋開放状態／倒伏状態の何れにおいても局部洗浄装置が運転状態にあるかを確認することができ、使用者に安心感を与えることができる。
【手続補正４】
【補正対象書類名】明細書
【補正対象項目名】００１２
【補正方法】変更
【補正の内容】
【００１２】
請求項９の発明においては、請求項４〜請求項８のいずれか１項に記載の発明に加え、前記便座・便蓋支持部には人体検出センサを備えたので、確実に人体を検知することができる。
【手続補正５】
【補正対象書類名】明細書
【補正対象項目名】００１３
【補正方法】変更
【補正の内容】
【００１３】
請求項１０の発明においては、請求項１〜請求項９のいずれか１項に記載の何れかに便座装置において、前記便蓋を閉じた状態で、前記便座・便蓋支持部両側に位置する前記便座の一部分は、前記便蓋により覆われているので、便座・便蓋支持部と便蓋に一体感を持たせることができる。
【手続補正６】
【補正対象書類名】明細書
【補正対象項目名】００１４
【補正方法】変更
【補正の内容】
【００１４】
請求項１１の発明においては、便座と、便器に固定される装置本体と、を具備してなる便座装置において、前記装置本体表面に膨出部を形成し、この膨出部の側方に枢軸部を設け、この枢軸部に前記便座を取り付けるとともに、前記膨出部の表面側にＬＥＤの発光により運転状態等を示す表示部を設けたので、膨出部を単なる枢軸部の取り付けだけでなく有効利用することができる。
【手続補正７】
【補正対象書類名】明細書
【補正対象項目名】００５６
【補正方法】変更
【補正の内容】
【００５６】
乾燥ヒータ１３４は、マイカ等の耐熱性を有する２個の支持板１３４ａ、１３４ｂを対称線部分に形成したスリットを相互に噛み合わせて接合し、それらの長手方向一端を固定金具１３４ｃを用いて挟持一体化して横断面Ｘ字形状となる主体１３４ｄを構成し、この主体１３４ｄの周部となる各支持体１３４ａ、１３４ｂの稜線部分に等間隔で複数の凹部１３４ｅ、凹部１３４ｆを形成する。なお、凹部１３４ｅは傾斜を付けて形成する。また、この傾斜は上下の稜線で逆とする。以上のように構成してなる主体１３４ｄの外周、即ち、各支持板１３４ａ、１３４ｂの稜線部分において、該稜線上に形成した凹部１３４ｅに嵌合させて数本のコイル状電熱線１３４ｇを交互に、且つ各支持体１３４ａ，１３４ｂの一側から他側に向かって螺旋状となるように捲回する。なお、支持体１３４ｂは２枚のマイカ板からなり、温度ヒューズ１３４は2枚のマイカ板に収納用切込を設けその部分に挟み込み、2枚のマイカ板間で、リード線取出部１３４ｉと電熱線１３４ｇ、電熱線１３４ｇと温度ヒューズ１３４ｈ、温度ヒューズ１３４ｈとリード線取出部１３４ｊとを夫々結線接続する。このように結線された乾燥ヒータ１３４を乾燥ヒータ収納箱１３５内に収納しユニット化する。なお、支持体１３４ａに設けた３個所の取付部１３４ｋは収納箱に設けたスリット１３５ａから外側へ突出させる。ところで、従来は支持板１３４ｂ上に温度ヒューズ１３４ｈが設置され、また、結線も支持板１３４ｂ上で行われていたのだが、2枚のマイカ板の間で結線を行うようにしたので、乾燥用ヒータ１３４を従来よりも薄くすることが可能である。また、凹部１３４ｅを傾斜して設けたので、コイル場電熱線１３４ｇ捲回時、外れにくくすることができ、作業性が向上する。乾燥用ファン１３７は中央にモータ（図示無）を一体化しており、その下部を吸込口（図示無）とし、周囲の一端を吐出口１３７ａとする。
また、乾燥用ファン１３７の周囲に２個所の取付部１３７ｂ、１３７ｃを設ける。なお、この乾燥用ファン１３７は脱臭用ファン１４５と兼用する。